(57)【要約】【課題】画像表示プロジェクタにおいて、排気口付近の筐体の温度であるタッチ温度を抑えることができる。【解決手段】画像表示プロジェクタ１は、ランプ２が収納されたランプモジュール１１と、ランプモジュール１１を内蔵する筐体２０を備えている。ランプモジュール１１は、モジュール側面吸気口４２と、モジュール側面排気口４３と、モジュール底面排気口４４を有し、筐体２０は、筐体側面排気口２３と、筐体底面排気口２４を有している。ランプモジュール１１の底面と筐体２０との間には、迂回流通路４５が設けられている。ランプ冷却後の空気は、モジュール側面排気口４３を経て筐体側面排気口２３に至るルートと、モジュール底面排気口４４及び迂回流通路４５を経て筐体側面排気口２３に至るルートと、モジュール底面排気口４４を経て筐体底面排気口２４に至るルートによって排出される。【選択図】      図５
2005024867.tif 000002
【特許請求の範囲】
【請求項１】
画像投射用の光を出射するランプが収納されたランプモジュールと、前記ランプからの光を用いて画像を形成する画像形成素子と、前記ランプモジュール及び画像形成素子を内蔵する筐体と、前記ランプを冷却するために前記ランプモジュールに空気を送風する前記筐体内部に配置されるファンとを備え、前記ランプモジュールは、該ランプモジュールの前記ファンに対向する側面に、前記ファンにより送風された空気を該ランプモジュール内に吸入するモジュール側面吸気口を有すると共に、該ランプモジュールの前記モジュール側面吸気口と反対側の側面に、前記モジュール側面吸気口から吸入されて前記ランプを冷却した後の空気を該ランプモジュール外に排出するモジュール側面排気口を有し、前記筐体は、該筐体の側面に、前記モジュール側面排気口から排出された空気を該筐体外部に排出する筐体側面排気口を有してなる画像表示プロジェクタにおいて、
前記ランプモジュールは、該ランプモジュールの底面に、前記ランプを冷却した後の空気を該ランプモジュール外部に排出するモジュール底面排気口をさらに有し、
前記ランプモジュールの底面と前記筐体の底面との間には、前記モジュール底面排気口から排出された空気の一部を前記筐体側面排気口へ迂回して流通させる迂回流通路が設けられており、
前記筐体は、該筐体の底面に、前記モジュール底面排気口から排出された空気を該筐体外部に排出する筐体底面排気口をさらに有して成り、
前記ランプ冷却後の空気が、前記モジュール側面排気口を経て前記筐体側面排気口に至るルートと、前記モジュール底面排気口及び迂回流通路を経て前記筐体側面排気口に至るルートと、前記モジュール底面排気口を経て前記筐体底面排気口に至るルートとによって排出されることを特徴とする画像表示プロジェクタ。
【請求項２】
画像投射用の光を出射するランプが収納されたランプモジュールと、前記ランプからの光を用いて画像を形成する画像形成素子と、前記ランプモジュール及び画像形成素子を内蔵する筐体と、前記ランプを冷却するために前記ランプモジュールに空気を送風する前記筐体内部に配置されるファンとを備え、前記ランプモジュールは、前記ファンにより送風された空気を該ランプモジュール内に吸入するモジュール吸気口と、前記モジュール吸気口から吸入されて前記ランプを冷却した後の空気を該ランプモジュール外に排出するモジュール排気口とを有し、前記筐体は、該筐体の側面に、前記モジュール排気口から排出された空気を該筐体外部に排出する筐体側面排気口を有してなる画像表示プロジェクタにおいて、
前記モジュール排気口は、前記ランプモジュールの底面に設けられており、
このモジュール底面排気口から排出された前記ランプ冷却後の空気が、前記ランプモジュールの底面と前記筐体の底面との間の流通路を経由して前記筐体側面排気口から排出されることを特徴とする画像表示プロジェクタ。
【請求項３】
前記ランプモジュールは、前記モジュール吸気口と反対側の側面に、上記のモジュール底面排気口とは別のモジュール側面排気口をさらに有し、
前記ランプ冷却後の空気が、上記のモジュール底面排気口及び前記流通路を経て前記筐体側面排気口に至るルートの他に、前記モジュール側面排気口を経て前記筐体側面排気口に至るルートによって排出される請求項２に記載の画像表示プロジェクタ。
【発明の詳細な説明】
【０００１】
【発明の属する技術分野】
本発明は、画像を投射してスクリーン等に表示する画像表示プロジェクタに関する。
【０００２】
【従来の技術】
従来から、パソコンやビデオカメラ等からの画像信号を基に、ランプから出射される光を用いて画像形成素子により画像を形成し、その画像をスクリーン等に投射して表示させる画像表示プロジェクタがある。画像表示プロジェクタは、一般に、ランプ及び画像形成素子を筐体内に内蔵しており、画像形成素子により形成した画像を筐体の前面（側面）に設けられた画像投射口から投射するようになっている。ランプはランプモジュールに収納された状態で筐体内に装着されており、ランプの交換等の際は、ランプモジュールごと筐体から取外すようになっている。また、ランプを冷却するためのファンが筐体内に配置されており、このファンにより空気を送風してランプを冷却している。
【０００３】
この種の画像表示プロジェクタは、筐体の側面（画像投射口が設けられた前面、又は横面）に筐体排気口を設け、また、ランプモジュールの一方側の側面にモジュール吸気口を設けると共に他方側の側面にモジュール排気口を設け、モジュール排気口が筐体排気口に隣接した状態にランプモジュールを配置したものが知られている。このような構成の画像表示プロジェクタでは、ファンから送風された空気は、モジュール吸気口からランプモジュール内に吸入されてランプを冷却し、ランプ冷却後の空気は、ランプ排気口からランプモジュール外に排出された後、筐体排気口から筐体外部に排出される。
【０００４】
また、空気流路を有する排気ダクトを光源ケースの下部に設け、この排気ダクトを介して、筐体内部の熱を筐体の後面及び底面に排気するプロジェクタが知られている（例えば、特許文献１参照）。また、筐体の一方の側面部に吸気ダクトを配設すると共に、筐体の他方の側面部に排気ダクトを配設して、吸気ダクトの吸気口及び排気ダクトの排気口を筐体の前面側に配設したプロジェクタが知られている（例えば、特許文献２参照）。外装ケースの背面部及び底面部に吸気口を有し、正面部に排気口を有するプロジェクタが知られている（例えば、特許文献３参照）。
【０００５】
【特許文献１】
特開２００１−２２２０６６号公報
【特許文献２】
特開２００１−６８８８２号公報
【特許文献３】
特開２００２−３４１４４５号公報
【０００６】
【発明が解決しようとする課題】
ところで、ランプ冷却後の空気はランプの熱により加熱されており、この加熱された空気が筐体排気口に吹き付けられることにより、筐体排気口付近の筐体の温度は高くなる。この筐体の温度は、タッチ温度と呼ばれている。タッチ温度は、その上限温度が規格等により定められており、また、安全性の面からも、できるだけ低い温度に抑えるのが好ましい。
【０００７】
ところが、上述した従来の画像表示プロジェクタにおいては、ランプモジュール側面のモジュール排気口が筐体側面の筐体排気口に隣接しているため、ランプ冷却後の空気は、モジュール排気口から排出された後、すぐに筐体排気口に至る。このため、筐体排気口の周辺には、ランプ冷却後の空気が高温状態のまま吹き付けられることになり、タッチ温度が必要以上に上昇する可能性があった。また、筐体排気口が画像投射口のある筐体前面に設けられている場合には、画像投射口から投射された画像が筐体排気口から排出された高温の空気中を通ってスクリーン等に照射されてしまい、これにより、ヒートウェーブと呼ばれる画像のゆらぎ現象を生じてしまう可能性があった。
【０００８】
特に、ランプモジュールが吸気口及び排気口を有する構成においては、空気はランプに直接吹き付けられることにより一層高温に加熱されるため、これらの課題は重要なものであった。なお、上述した特許文献１乃至特許文献３に記載のプロジェクタは、ランプモジュールが吸気口及び排気口を有する構成にはなっておらず、また、これら特許文献１乃至特許文献３には、タッチ温度を抑えることやヒートウェーブの発生を抑えることについては、何等記載されていない。従って、これら特許文献１乃至特許文献３に開示の内容を適用したとしても、上記の課題を解決することはできない。
【０００９】
本発明は、上記課題を解決するためになされたものであり、筐体排気口周辺の筐体の温度であるタッチ温度を抑えることができる画像表示プロジェクタを提供することを目的とする。
【００１０】
【課題を解決するための手段】
上記目的を達成するために請求項１の発明は、画像投射用の光を出射するランプが収納されたランプモジュールと、ランプからの光を用いて画像を形成する画像形成素子と、ランプモジュール及び画像形成素子を内蔵する筐体と、ランプを冷却するためにランプモジュールに空気を送風する筐体内部に配置されるファンとを備え、ランプモジュールは、該ランプモジュールのファンに対向する側面に、ファンにより送風された空気を該ランプモジュール内に吸入するモジュール側面吸気口を有すると共に、該ランプモジュールのモジュール側面吸気口と反対側の側面に、モジュール側面吸気口から吸入されてランプを冷却した後の空気を該ランプモジュール外に排出するモジュール側面排気口を有し、筐体は、該筐体の側面に、モジュール側面排気口から排出された空気を該筐体外部に排出する筐体側面排気口を有してなる画像表示プロジェクタにおいて、ランプモジュールは、該ランプモジュールの底面に、ランプを冷却した後の空気を該ランプモジュール外部に排出するモジュール底面排気口をさらに有し、ランプモジュールの底面と筐体の底面との間には、モジュール底面排気口から排出された空気の一部を筐体側面排気口へ迂回して流通させる迂回流通路が設けられており、筐体は、該筐体の底面に、モジュール底面排気口から排出された空気を該筐体外部に排出する筐体底面排気口をさらに有して成り、ランプ冷却後の空気が、モジュール側面排気口を経て筐体側面排気口に至るルートと、モジュール底面排気口及び迂回流通路を経て筐体側面排気口に至るルートと、モジュール底面排気口を経て筐体底面排気口に至るルートとによって排出されるものである。
【００１１】
この構成においては、ファンから送風された空気は、モジュール側面吸気口からランプモジュール内に吸入され、ランプモジュール内に収納されたランプを冷却する。そして、ランプ冷却後の空気は、モジュール側面排気口とモジュール底面排気口の両方からランプモジュール外に排出される。モジュール側面排気口からランプモジュール外に排出された空気は、そのまま筐体側面排気口から筐体外部に排出される。また、モジュール底面排気口からランプモジュール外に排出された空気は、その一部が迂回流通路を経て筐体側面排気口から筐体外部に排出され、他の一部が筐体底面排気口から筐体外部に排出される。迂回流通路を経る空気の熱は、その空気が迂回流通路を経ている間に筐体の底面に伝達され、これにより、迂回流通路を経て筐体側面排気口に至った空気の温度は低下する。
【００１２】
すなわち、筐体側面排気口から排出される空気は、その一部が迂回流通路を経てきたことにより、温度が低下する。また、空気は筐体側面排気口と筐体底面排気口とから分散して排出されることになり、筐体側面排気口から排出される空気の量は減少する。これらにより、筐体側面排気口周辺の必要以上の温度上昇が抑えられる。なお、筐体底面の温度は迂回流通路を経る空気の熱により上昇するものの、筐体底面を下向きにして載置する通常設置でも、また、筐体底面を壁側に向けて固定する天井吊り下げ設置でも、ユーザが筐体底面に触れる機会は少ないため、筐体底面の温度が上昇することによる支障は生じない。
【００１３】
請求項２の発明は、画像投射用の光を出射するランプが収納されたランプモジュールと、ランプからの光を用いて画像を形成する画像形成素子と、ランプモジュール及び画像形成素子を内蔵する筐体と、ランプを冷却するためにランプモジュールに空気を送風する筐体内部に配置されるファンとを備え、ランプモジュールは、ファンにより送風された空気を該ランプモジュール内に吸入するモジュール吸気口と、モジュール吸気口から吸入されてランプを冷却した後の空気を該ランプモジュール外に排出するモジュール排気口とを有し、筐体は、該筐体の側面に、モジュール排気口から排出された空気を該筐体外部に排出する筐体側面排気口を有してなる画像表示プロジェクタにおいて、モジュール排気口は、ランプモジュールの底面に設けられており、このモジュール底面排気口から排出されたランプ冷却後の空気が、ランプモジュールの底面と筐体の底面との間の流通路を経由して筐体側面排気口から排出されるものである。
【００１４】
この構成においては、ファンから送風された空気は、モジュール吸気口からランプモジュール内に吸入され、ランプモジュール内に収納されたランプを冷却する。そして、ランプ冷却後の空気は、モジュール底面排気口からランプモジュール外に排出された後、ランプモジュールの底面と筐体の底面との間の流通路を経由して筐体側面排気口から筐体外部に排出される。モジュール底面排気口からランプモジュール外に排出された空気の熱は、その空気がランプモジュールの底面と筐体の底面との間の流通路を経由している間に筐体の底面に伝達され、これにより、筐体側面排気口から排出される空気の温度は低下し、筐体側面排気口周辺の必要以上の温度上昇が抑えられる。筐体底面の温度は上昇するものの、筐体底面を下向きにして載置する通常設置でも、また、筐体底面を壁側に向けて固定する天井吊り下げ設置でも、ユーザが筐体底面に触れる機会は少ないため、筐体底面の温度が上昇することによる支障は生じない。
【００１５】
請求項３の発明は、請求項２に記載の画像表示プロジェクタにおいて、ランプモジュールは、モジュール吸気口と反対側の側面に、上記のモジュール底面排気口とは別のモジュール側面排気口をさらに有し、ランプ冷却後の空気が、上記のモジュール底面排気口及び流通路を経て筐体側面排気口に至るルートの他に、モジュール側面排気口を経て筐体側面排気口に至るルートによって排出されるものである。
【００１６】
この構成においては、ランプ冷却後の空気は、モジュール底面排気口とモジュール側面排気口の両方からランプモジュール外に排出される。モジュール底面排気口からランプモジュール外に排出された空気は、上記のようにランプモジュールの底面と筐体の底面との間の流通路を経由して筐体側面排気口から筐体外部に排出され、モジュール側面排気口からランプモジュール外に排出された空気は、そのまま筐体側面排気口から筐体外部に排出される。これにより、筐体側面排気口周辺の必要以上の温度上昇が抑えられると共に、筐体底面の温度も上昇し過ぎることがない。
【００１７】
【発明の実施の形態】
以下、本発明を具体化した実施形態について図面を参照して説明する。図１（ａ）（ｂ）（ｃ）、図２、及び図３において、画像表示プロジェクタ１は、パソコンやビデオカメラ等から入力される画像信号を基に、ランプ２から出射される画像投射用の光を用いて画像形成素子３により画像を形成し、その画像を投射レンズ４からスクリーン等に投射表示する装置である。
【００１８】
画像表示プロジェクタ１は、ランプモジュール１１と、光学エンジン１２と、シロッコファン１３と、制御基板１４と、これらを内蔵する筐体２０とを備えている。筐体２０は、画像投射用開口２１と、筐体側面吸気口２２ａ，２２ｂと、筐体側面排気口２３と、筐体底面排気口２４とを有しており、底部ケース２７と、上部カバー２８と、ランプドア２９とにより構成されている。画像投射用開口２１は、筐体２０（底部ケース２７）の前面（側面）に設けられている。筐体側面吸気口２２ａは、筐体２０（底部ケース２７）の後面（側面）に設けられており、筐体側面吸気口２２ｂは、筐体２０（底部ケース２７及び上部カバー２８）の横面（側面）に設けられている。また、筐体側面排気口２３は、筐体２０（底部ケース２７）の前面に設けられており、筐体底面排気口２４は、筐体２０（底部ケース２７）の底面に設けられている。
【００１９】
ランプモジュール１１は、上述のランプ２を収納しており、ランプハウス１５が形成するランプ装着空間１６に着脱できるようになっている。ランプハウス１５は、筐体側面排気口２３の内側に隣接して設けられており、ハウス枠体１７と底部ケース２７の底面２７ａとによりランプ装着空間１６を形成した構造となっている。ハウス枠体１７の側面には、吸気用開口３２と、排気用開口３３、３４が設けられている。また、底部ケース２７の底面２７ａのランプ装着空間１６を形成している箇所（ランプハウス１５の底部）には、上記筐体底面排気口２４が設けられている。ランプモジュール１１は、ランプハウス１５のランプ装着空間１６に装着することで筐体２０に内蔵される。ランプモジュール１１に収納されているランプ２は、光学エンジン１２に向けて画像投射用の光を出射する。
【００２０】
光学エンジン１２は、上述の画像形成素子３と、投射レンズ４に加え、反射ミラー５を装備している。画像形成素子３は、ランプ２からの光を反射して画像を形成するものである。投射レンズ４は、画像形成素子３からの反射光すなわち画像形成素子３にて形成された画像を筐体２０の外部に向けて投射するものであり、画像投射用開口２１に臨む位置に配置されている。反射ミラー５は、ランプ２から出射される画像投射用の光を反射して、画像形成素子３に照射するものである。
【００２１】
シロッコファン１３は、ランプ２を空気により冷却するために空気を送風するものである。シロッコファン１３は、ランプハウス１５に向けて（従って、ランプハウス１５に装着されるランプモジュール１１及びランプ２に向けて）空気を送風する。筐体２０の内部では、シロッコファン１３からランプハウス１５に向かって空気の流れが発生し、空気は、筐体側面吸気口２２ａ，２２ｂから筐体２０内部に吸入され、筐体側面排気口２３及び筐体底面排気口２４から筐体２０外部に排出される。
【００２２】
制御基板１４は、シロッコファン１３と筐体側面吸気口２２ａとの間に配置されている。この制御基板１４には、電源回路、ランプ起動回路、画像処理回路、ファン駆動回路、及びこれらを制御する制御回路等（何れも図示省略）が設けられている。
【００２３】
次に、ランプモジュール１１について、図４（ａ）（ｂ）（ｃ）を参照して説明する。ランプモジュール１１は、上述のようにランプ２を収納している。このランプモジュール１１は、投光用開口４１と、モジュール側面吸気口４２と、モジュール側面排気口４３と、モジュール底面排気口４４とを有している。
【００２４】
投光用開口４１は、ランプ２から出射された画像投射用の光をランプモジュール１１外に投光するためのものであり、ランプモジュール１１の前面に設けられている。モジュール側面吸気口４２は、ランプ２からの光出射方向に見て、ランプモジュール１１の左側の側面に設けられており、モジュール側面排気口４３は、ランプ２からの光出射方向に見て、ランプモジュール１１の右側の側面に設けられている。モジュール底面排気口４４は、ランプモジュール１１の底面に設けられている。ランプモジュール１１の底面には、凹所４５が形成されており、モジュール底面排気口４４は、凹所４５内に設けられている。凹所４５は、後述の迂回流通路を形成するものであり、モジュール側面排気口４３が設けられている側の側面に臨んでいる。
【００２５】
このような構成のランプモジュール１１は、投光用開口４１を光学エンジン１２に向けてランプハウス１５内に装着される。ランプモジュール１１をランプハウス１５内に装着した状態では、モジュール側面吸気口４２は、ハウス枠体１７の吸気用開口３２の内側の合致してシロッコファン１３に対向し、モジュール側面排気口４３は、ハウス枠体１７の排気用開口３３の内側の合致して筐体側面排気口２３に対向する。また、モジュール底面排気口４４は、底部ケース２７の筐体底面排気口２４の上方に位置し、凹所４５は、ハウス枠体１７の排気用開口３４に連通する。
【００２６】
次に、上記ランプモジュール１１をランプハウス１５に装着した状態でのランプ２の冷却に関する空気の流れについて、図５を参照して説明する。ランプハウス１５には、上記シロッコファン１３から空気が送風される（空気の流れを図中矢印で示す）。シロッコファン１３から送風されてきた空気は、ハウス枠体１７の吸気用開口３２を通って、ランプモジュール１１のモジュール側面吸気口４２からランプモジュール１１の内部に吸入され、ランプモジュール１１に収納されたランプ２を冷却する。そして、ランプ冷却後の空気は、モジュール側面排気口４３とモジュール底面排気口４４の両方からランプモジュール１１の外部に排出される。
【００２７】
モジュール側面排気口４３からランプモジュール１１の外部に排出された空気は、ハウス枠体１７の排気用開口３３を通って、そのまま筐体側面排気口２３から筐体２０の外部に排出される。一方、モジュール底面排気口４４からランプモジュール１１の外部に排出された空気の一部は、ランプモジュール１１の底面に設けられた凹所４５及びハウス枠体１７の排気用開口３４を通って筐体側面排気口２３に至り、筐体側面排気口２３から筐体２０の外部に排出される。なお、凹所４５、排気用開口３４、及び底部ケース２７の底面２７ａが、ランプ冷却後の空気の一部を迂回して筐体側面排気口２３へ流通させる迂回流通路を形成している。また、モジュール底面排気口４４からランプモジュール１１の外部に排出された空気の他の一部は、筐体底面排気口２４から筐体２０の外部に排出される。
【００２８】
このように、ランプ冷却後の空気は、モジュール側面排気口４３を経て筐体側面排気口２３に至るルートと、モジュール底面排気口４４、凹所４５、及び排気用開口３４を経て筐体側面排気口２３に至るルートと、モジュール底面排気口４４を経て筐体底面排気口２４に至るルートの、３つのルートによって筐体２０の外部に排出される。
【００２９】
このような構成の画像表示プロジェクタ１によれば、凹所４５及び排気用開口３４を通る空気の熱は、その空気が凹所４５及び排気用開口３４を通って筐体側面排気口２３に至る間に底部ケース２７の底面２７ａに伝達されるため、凹所４５及び排気用開口３４を経て筐体側面排気口２３に至った空気の温度は低下する。そして、筐体側面排気口２３から排出される空気は、その一部に凹所４５及び排気用開口３４を経てきた空気を含んでいるため、その温度が低下する。これにより、タッチ温度と呼ばれる筐体側面排気口２３の周辺の筐体２０の温度が必要以上に上昇することがなく、また、画像が高温の空気中を通ってスクリーン等に照射されることにより生じるヒートウェーブと呼ばれる画像のゆらぎ現象を抑えることができる。
【００３０】
しかも、ランプ冷却後の空気は筐体側面排気口２３と筐体底面排気口２４とから分散して排出されるため、筐体側面排気口２３から排出される空気の量は、筐体底面排気口２４から空気が排出される分だけ減少する。これによっても、タッチ温度が必要以上に上昇することがなく、また、ヒートウェーブを抑えることができる。さらに、凹所４５及び排気用開口３４を経て筐体側面排気口２３に至る空気は、ランプ冷却後の空気の一部のみであるので、底部ケース２７の底面２７ａの温度が上昇し過ぎることがない。
【００３１】
なお、底部ケース２７の底面２７ａの温度は迂回流通路４５及び排気用開口３４を経る空気の熱により上昇するものの、底部ケース２７の底面２７ａを下向きにして載置する通常設置でも、また、底部ケース２７の底面２７ａを壁側に向けて固定する天井吊り下げ設置でも、ユーザが底部ケース２７の底面２７ａに触れる機会は少ないため、底部ケース２７の底面２７ａの温度が上昇することによる支障は生じない。
【００３２】
なお、本発明は、上記実施形態の構成に限られず、種々の変形が可能である。
例えば、上記実施形態において、筐体底面排気口２４は必ずしも設ける必要はなく、また、モジュール側面排気口４３も必ずしも設ける必要はない。筐体底面排気口２４及びモジュール側面排気口４３を設けない構成によっても、ランプ冷却後の空気は、モジュール底面排気口４４、凹所４５及び排気用開口３４（迂回流通路）を通ることによりその温度が低下するため、タッチ温度が必要以上に上昇することがなく、また、ヒートウェーブを抑えることができる。筐体側面排気口２３は、画像投射用開口２１の設けられている筐体２０の前面に限られず、筐体２０の横面に設けてもよい。
【００３３】
【発明の効果】
以上説明したように請求項１の発明によれば、ランプモジュールの底面にモジュール底面排気口を有すると共に筐体の側面に筐体側面排気口を有し、モジュール底面排気口から排出された空気を筐体側面排気口へ迂回して流通させる迂回流通路が設けられているため、筐体側面排気口から排出される空気は、その温度が低下し、これにより、筐体側面排気口周辺のタッチ温度を抑えることができる。また、筐体側面排気口と同じ側面に画像投射口が設けられている構成にあっては、ヒートウェーブの発生を抑えることができる。しかも、筐体の底面に筐体底面排気口を有しているため、筐体側面排気口から排出される空気が減少し、これによっても、筐体側面排気口周辺のタッチ温度を抑えることができると共にヒートウェーブの発生を抑えることができる。さらに、ランプモジュールの側面にモジュール側面排気口を有しているため、ランプ冷却後の空気の一部はモジュール側面排気口を経て筐体側面排気口から排出され、これにより、筐体底面の温度が上昇し過ぎることがない。
【００３４】
請求項２の発明によれば、ランプモジュールの底面にモジュール底面排気口を有すると共に筐体の側面に筐体側面排気口を有し、モジュール底面排気口から排出されたランプ冷却後の空気がランプモジュールの底面と筐体の底面との間の流通路を経由して筐体側面排気口から排出されるため、筐体側面排気口から排出される空気の温度は低下し、これにより、筐体側面排気口周辺のタッチ温度を抑えることができる。また、筐体側面排気口と同じ側面に画像投射口が設けられている構成にあっては、ヒートウェーブの発生を抑えることができる。
【００３５】
請求項３の発明によれば、ランプモジュールの側面にモジュール側面排気口を有しているため、ランプ冷却後の空気の一部はモジュール側面排気口を経て筐体側面排気口から排出され、これにより、筐体底面の温度が上昇し過ぎることがなく、安全で快適に使用することができる。
【図面の簡単な説明】
【図１】（ａ）は本発明の一実施形態に係る画像表示プロジェクタの概略構成を示す前面側から見た斜視図、（ｂ）は同後面側から見た斜視図、（ｃ）は同底面側から見た斜視図。
【図２】同画像表示プロジェクタの内部構成を示す前面側から見た斜視図。
【図３】同画像表示プロジェクタの内部構成を示す後面側から見た斜視図。
【図４】（ａ）は同画像表示プロジェクタのランプモジュールの構成を示す右側面側から見た斜視図、（ｂ）は同左側面側から見た斜視図、（ｃ）は底面側から見た斜視図。
【図５】同画像表示プロジェクタのランプの冷却に関する空気の流れを示す図１（ｂ）のＰ−Ｐ断面図。
【符号の説明】
１  画像表示プロジェクタ
２  ランプ
３  画像形成素子
４  投射レンズ
１１  ランプモジュール
１２  光学エンジン
１３  シロッコファン
１４  制御基板
１５  ランプハウス
２０  筐体
２１  画像投射用開口
２２ａ，２２ｂ  筐体側面吸気口
２３  筐体側面排気口
２４  筐体底面排気口
４２  モジュール側面吸気口
４３  モジュール側面排気口
４４  モジュール底面排気口
４５  凹所（迂回流通路）
【図１】
2005024867.tif 000003
【図２】
2005024867.tif 000004
【図３】
2005024867.tif 000005
【図４】
2005024867.tif 000006
【図５】
2005024867.tif 000007